Podtech/llm-jp-corpus-v4-ja_patent huggingface dataset:
【手続補正書】
【提出日】令和1年7月31日(2019.7.31)
【手続補正１】
【補正対象書類名】明細書
【補正対象項目名】０００６
【補正方法】変更
【補正の内容】
【０００６】
実施形態に係る磁気共鳴イメージング装置は、第１生成部と、第２生成部とを備える。第１生成部は、出力するＲＦパルスのエンベロープに関する情報を含むデジタルの第１のデータ列を補間して、前記第１のデータ列において隣接するデジタルデータの変化量が、
上限値を下回る第２のデータ列を生成する。第２生成部は、前記第１生成部が生成した前記第２のデータ列と、前記ＲＦパルスの搬送波に関する情報とを合成してＲＦパルスの信号を生成し、ＲＦアンプに出力する。
【手続補正２】
【補正対象書類名】特許請求の範囲
【補正対象項目名】全文
【補正方法】変更
【補正の内容】
【特許請求の範囲】
【請求項１】
出力するＲＦパルスのエンベロープに関する情報を含むデジタルの第１のデータ列を補間して、前記第１のデータ列において隣接するデジタルデータの変化量が、上限値を下回る第２のデータ列を生成する第１生成部と、
前記第１生成部が生成した前記第２のデータ列と、前記ＲＦパルスの搬送波に関する情報とを合成してＲＦパルスの信号を生成し、ＲＦアンプに出力する第２生成部とを備える、磁気共鳴イメージング装置。
【請求項２】
前記第１生成部は、前記ＲＦアンプの電気的特性に応じた前記上限値の値に基づいて、前記第２のデータ列を生成する、請求項１に記載の磁気共鳴イメージング装置。
【請求項３】
前記上限値を取得する取得部を更に備え、
前記第１生成部は、前記取得部が取得した前記上限値に基づいて、前記第２のデータ列を生成する、請求項１に記載の磁気共鳴イメージング装置。
【請求項４】
前記第２生成部は、前記第１生成部が前記第２のデータ列を生成するのに要する時間に相当する遅延時間を補償する処理を行う、請求項１〜３のいずれか一つに記載の磁気共鳴イメージング装置。
【請求項５】
前記第１生成部は、前記第１のデータ列に対して補間処理を含んだ処理を行って、前記第２のデータ列を生成する、請求項１に記載の磁気共鳴イメージング装置。
【請求項６】
前記第１生成部は、パルスシーケンスの種類又は生成される前記第１のデータ列の時間間隔のうち少なくとも一方に応じた前記補間処理を含んだ処理を行って、前記第２のデータ列を生成する、請求項５に記載の磁気共鳴イメージング装置。
【請求項７】
前記第１生成部は、前記第１のデータ列に対して補間処理を行うことにより得られたデータと、前記上限値の値とに基づいて、前記第２のデータ列を生成する、請求項５に記載の磁気共鳴イメージング装置。
【請求項８】
前記第１生成部は、前記第１のデータ列に対してフィルタ処理を含んだ処理を行って、前記第２のデータ列を生成する、請求項１に記載の磁気共鳴イメージング装置。
【請求項９】
前記第１生成部は、パルスシーケンスの種類又は生成される前記第１のデータ列の時間間隔のうち少なくとも一方に応じた前記フィルタ処理を含んだ処理を行って、前記第２のデータ列を生成する、請求項８に記載の磁気共鳴イメージング装置。
【請求項１０】
前記第１生成部は、アナログ回路を用いて、前記第１のデータ列と前記上限値の値とに基づいて、前記第２のデータ列を生成する、請求項３に記載の磁気共鳴イメージング装置。
【請求項１１】
前記第２生成部は、前記ＲＦパルスの信号をデジタルデータで生成した後、デジタルアナログ変換を行い変換後のアナログデータを前記ＲＦアンプに出力する、請求項１に記載の磁気共鳴イメージング装置。
【手続補正書】
【提出日】令和1年5月20日(2019.5.20)
【手続補正１】
【補正対象書類名】特許請求の範囲
【補正対象項目名】全文
【補正方法】変更
【補正の内容】
【特許請求の範囲】
【請求項１】
被検体に照射された測定光と参照光によるＯＣＴ信号を取得するためのＯＣＴ光学系と、
前記ＯＣＴ光学系を用いて予め取得された画像データに基づいて、前記被検体上におけるＯＣＴモーションコントラストデータの撮影範囲を設定する設定手段と、
前記ＯＣＴ光学系を制御し、前記設定手段によって設定された撮影範囲において時間的に異なる複数のＯＣＴ信号を取得し、取得された複数のＯＣＴ信号に基づいて被検体のＯＣＴモーションコントラストデータを得る制御手段と、
を備えることを特徴とする光コヒーレンストモグラフィー装置。
【請求項２】
前記画像データは、正面ＭＣデータ、正面ＯＣＴデータの少なくともいずれかであることを特徴とする請求項１の光コヒーレンストモグラフィー装置。
【請求項３】
前記設定手段は、前記画像データを解析し、解析結果に基づいて撮影範囲を設定する請求項１〜２のいずれかの光コヒーレンストモグラフィー装置。
【請求項４】
前記設定手段は、前記画像データを解析することによって注目部位を特定し、特定された注目部位が含まれるように前記撮影範囲を設定する請求項１〜３のいずれかの光コヒーレンストモグラフィー装置。
【請求項５】
前記制御手段は、前記ＯＣＴ光学系を制御し、
被検体上の第１の範囲での第１のＯＣＴモーションコントラストデータを得るための第１の制御と、
前記設定手段によって設定された撮影範囲であって、前記第１の制御によって取得された第１のＯＣＴモーションコントラストデータに基づいて前記設定手段によって設定される第２の範囲であり、前記第１の範囲内であって前記第１の範囲よりも狭い第２の範囲での第２のＯＣＴモーションコントラストデータを得るための第２の制御と、
を連続的に行うことを特徴とする請求項１〜４のいずれかの光コヒーレンストモグラフィー装置。
【請求項６】
被検体に照射された測定光と参照光によるＯＣＴ信号を取得するためのＯＣＴ光学系と、
前記ＯＣＴ光学系を制御し、被検体上の第１の範囲での第１のＯＣＴモーションコントラストデータを得るための第１の制御と、前記第１の範囲内であって前記第１の範囲よりも狭い第２の範囲での第２のＯＣＴモーションコントラストデータを得るための第２の制御と、を連続的に行う制御手段と、
を備えることを特徴とする光コヒーレンストモグラフィー装置。
【請求項７】
被検体に照射された測定光と参照光によるＯＣＴ信号を取得するためのＯＣＴ光学系を備える光コヒーレンストモグラフィー装置において実行される光コヒーレンストモグラフィ制御プログラムであって、
光コヒーレンストモグラフィー装置のプロセッサによって実行されることで、
前記ＯＣＴ光学系を用いて予め取得された画像データに基づいて、前記被検体上におけるＯＣＴモーションコントラストデータの撮影範囲を設定する設定ステップと、
前記ＯＣＴ光学系を制御し、前記設定ステップによって設定された撮影範囲において時間的に異なる複数のＯＣＴ信号を取得し、取得された複数のＯＣＴ信号に基づいて被検体のＯＣＴモーションコントラストデータを得る制御ステップと、
を前記光コヒーレンストモグラフィ装置に実行させることを特徴とする光コヒーレンストモグラフィ制御プログラム。
【手続補正書】
【提出日】令和1年7月24日(2019.7.24)
【手続補正１】
【補正対象書類名】特許請求の範囲
【補正対象項目名】請求項２
【補正方法】変更
【補正の内容】
【請求項２】
前記決定手段は、
スライス画像データにおける画素間隔に対する物理空間における距離に反比例し、
前記被検体の体軸に沿ったスライス画像データ間の物理空間における距離に比例する値を前記探索範囲として決定する、
ことを特徴とする請求項１に記載の画像符号化装置。
【手続補正書】
【提出日】令和1年7月29日(2019.7.29)
【手続補正１】
【補正対象書類名】特許請求の範囲
【補正対象項目名】全文
【補正方法】変更
【補正の内容】
【特許請求の範囲】
【請求項１】
遊技の進行の制御を行う主制御手段からのコマンドに基づいて演出の進行を制御する演出制御手段を備える遊技機であって、
前記演出制御手段は、
遊技演出に関するデータが予め記憶されるＲＯＭを搭載するＲＯＭ搭載基板と、
前記ＲＯＭ搭載基板の前記データから映像信号を作成する映像作成基板と、
表示装置に入力されるべき映像信号の方式と適合する信号を前記表示装置へ出力することができる映像出力基板と、
を少なくとも含み、
前記演出制御手段は、開放するためには封印部を破壊しなくてはならない基板ボックスに収容され、
前記映像作成基板は、前記ＲＯＭ搭載基板から読み出した前記データを用いて前記映像信号を作成すると共に、前記映像信号を複数種類の方式で前記映像出力基板へ出力し、
前記映像出力基板は前記表示装置に入力されるべき映像信号の方式と適合する信号のみを前記表示装置へ出力すること
を特徴とした遊技機。
【手続補正２】
【補正対象書類名】明細書
【補正対象項目名】０００２
【補正方法】変更
【補正の内容】
【０００２】
従来より、図柄、各種背景画像、文字、キャラクタなどの画像データが記憶されるＲＯＭ、種々の画像を表示する表示装置を制御するＣＰＵ等が実装される演出制御手段等を備える遊技機が提案されている（例えば、特許文献１）。
【手続補正３】
【補正対象書類名】明細書
【補正対象項目名】０００３
【補正方法】変更
【補正の内容】
【０００３】
【特許文献１】特開２０１６−１１６６６７号公報（図２）
【手続補正４】
【補正対象書類名】明細書
【補正対象項目名】０００４
【補正方法】変更
【補正の内容】
【０００４】
ところで、表示装置に入力される映像信号の方式には複数種類のものがある。このため、特許文献１に記載される遊技機においては、表示装置に入力される映像信号に合わせて演出制御基板を改変して製造する必要があり、演出制御基板のコストを抑制することが困難であった。
【手続補正５】
【補正対象書類名】明細書
【補正対象項目名】０００５
【補正方法】変更
【補正の内容】
【０００５】
本発明は、このような事情に鑑みてなされたものであり、その目的とするところは、演出制御手段のコストを抑制することができる遊技機を提供することにある。
【手続補正６】
【補正対象書類名】明細書
【補正対象項目名】０００７
【補正方法】変更
【補正の内容】
【０００７】
（解決手段１）
遊技の進行の制御を行う主制御手段からのコマンドに基づいて演出の進行を制御する演出制御手段を備える遊技機であって、前記演出制御手段は、遊技演出に関するデータが予め記憶されるＲＯＭを搭載するＲＯＭ搭載基板と、前記ＲＯＭ搭載基板の前記データから映像信号を作成する映像作成基板と、表示装置に入力されるべき映像信号の方式と適合する信号を前記表示装置へ出力することができる映像出力基板と、を少なくとも含み、前記演出制御手段は、開放するためには封印部を破壊しなくてはならない基板ボックスに収容され、前記映像作成基板は、前記ＲＯＭ搭載基板から読み出した前記データを用いて前記映像信号を作成すると共に、前記映像信号を複数種類の方式で前記映像出力基板へ出力し、前記映像出力基板は前記表示装置に入力されるべき映像信号の方式と適合する信号のみを前記表示装置へ出力することを特徴とした遊技機。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】変更
【補正の内容】
【００１６】
本発明の遊技機においては、演出制御手段のコストを抑制することができる。
【手続補正書】
【提出日】令和1年5月9日(2019.5.9)
【手続補正１】
【補正対象書類名】特許請求の範囲
【補正対象項目名】全文
【補正方法】変更
【補正の内容】
【特許請求の範囲】
【請求項１】
互いに裏表の関係にある第１面および第２面を有するエミッタ本体と、互いに裏表の関係にある第３面および第４面を有し、前記第４面が前記エミッタ本体の前記第１面に接合されている可撓性を有する樹脂製のフィルムと、を有し、灌漑用液体を流通させるチューブの内壁面において、前記チューブの内外を連通する吐出口に対応する位置に接合され、前記チューブ内の前記灌漑用液体を前記吐出口から定量的に前記チューブ外に吐出するためのエミッタであって、
前記エミッタ本体の前記第１面に配置され、前記灌漑用液体を取り入れるための取水部と、
前記エミッタ本体の前記第２面に配置され、前記灌漑用液体を吐出するための吐出部と、
前記エミッタ本体内において前記取水部および前記吐出部を繋ぎ、前記灌漑用液体を流通させる流路と、
前記流路に配置され、前記チューブ内の前記灌漑用液体の圧力による前記フィルムの変形に応じて、前記灌漑用液体の流量を減少させる流量減少部と、
を有し、
前記フィルムは、前記第３面、前記第４面またはこれら両面の前記流量減少部に対応する位置に配置されている凸条部を含む、
エミッタ。
【請求項２】
前記凸条部の形状は、渦巻き状である、請求項１に記載のエミッタ。
【請求項３】
前記流量減少部は、
前記エミッタ本体の前記第１面に配置されている凹部と、
前記フィルムの一部であり、前記凹部の開口部を塞ぐように配置されており、かつ前記チューブ内を流れる前記灌漑用液体の圧力が設定値を超えた場合に前記凹部側に歪む、可撓性を有するダイヤフラム部と、
前記凹部の内面に開口し、前記吐出部および前記流路のうち、一方に連通する第１貫通孔と、
前記凹部の内面に開口し、前記吐出部および前記流路のうち、他方に連通する第２貫通孔と、
前記第１貫通孔または前記第２貫通孔を取り囲むように、前記ダイヤフラム部に面して非接触に配置され、前記チューブを流れる前記灌漑用液体の圧力が設定値を超えた場合、前記ダイヤフラム部が密着可能な弁座部と、
前記弁座部の前記ダイヤフラム部が密着可能な面に形成され、前記弁座部に取り囲まれた前記第１貫通孔または前記第２貫通孔と、前記凹部の内部とを連通する連通溝と、
を含み、
前記凸条部は、前記ダイヤフラム部に配置されている、
請求項１または請求項２に記載のエミッタ。
【請求項４】
前記エミッタは、可撓性を有する一種類の材料で成形されており、
前記ダイヤフラム部は、前記エミッタの一部として一体的に成形されている、
請求項１〜３のいずれか一項に記載のエミッタ。
【請求項５】
灌漑用液体を吐出するための吐出口を有するチューブと、
前記チューブの内壁面の前記吐出口に対応する位置に接合された、請求項１〜４のいずれか一項に記載のエミッタと、
を有する、点滴灌漑用チューブ。
【手続補正書】
【提出日】令和1年5月14日(2019.5.14)
【手続補正１】
【補正対象書類名】明細書
【補正対象項目名】０００６
【補正方法】変更
【補正の内容】
【０００６】
【特許文献１】実公平３−３３２７５号公報
【特許文献２】特開２０１５−１２３０５８号公報
【特許文献３】特開２０１５−１２３０５９号公報
【特許文献４】特公平２−３７１９５号公報
【手続補正２】
【補正対象書類名】明細書
【補正対象項目名】００５２
【補正方法】変更
【補正の内容】
【００５２】
上記のように調製して得られる被覆食品の形状としては、上述したように、例えば、フライ食品（海老フライ、天ぷら、から揚げ、串揚げ、とんかつ、コロッケ、フライドポテト、揚げパンなど）、リンゴ飴、ごま団子等の衣がけ食品、ゆで卵、メロンパン等の複層食品等が挙げられ、様々な形状を模した汎用性のある被覆食品として展開でき、また、これらの被覆食品を調製することで幼児でも擬似調理体験を可能とするものである。
【手続補正３】
【補正対象書類名】明細書
【補正対象項目名】００７１
【補正方法】変更
【補正の内容】
【００７１】
【表１】
2018019673.tif 000001
【手続補正４】
【補正対象書類名】明細書
【補正対象項目名】００７３
【補正方法】変更
【補正の内容】
【００７３】
上記組合せ菓子を用いて、専門パネラー３名が以下の手順で被覆食品を調製した。
＜海老様形態の芯材用菓子の調製＞
調製用トレイ（Ｃ）の生地混合部６４´に、粉末（Ｂ）３．５ｇを振り入れ、その上から常温の水道水２ｇを添加し混合し、芯材用菓子生地を得た。この芯材用菓子生地を芯材用菓子成型部６２´を用いて、図４（１）〜（３）のように成形し、海老様形態の芯材用菓子を調製した。
＜海老フライ様被覆食品の調製＞
図４（４）〜（７）のようにして海老フライ様被覆食品を調製した。
（ｉ）まず、調製用トレイ中の即席衣様被覆食品用粉末収容部（Ｘ）に粉末（Ａ）を振り入れた。そして、水性媒体収容部（Ｙ）に水道水を収容した。
（ｉｉ）次に、海老様形態の芯材用菓子を芯材用菓子成型部６２´から離型した。
（ｉｉｉ）次いで、尾の部分に付着しないように、芯材用菓子を収容部（Ｘ）内で転がして、粉末（Ａ）を満遍なく接触し付着させた。
（ｉｖ）次に、収容部（Ｙ）内で転がして、表面に水を満遍なく接触し付着させた。
（ｖ）再度、（ｉｉｉ）と同様にして、粉末（Ａ）を満遍なく接触し付着させた。
（ｖｉ）更に（ｉｖ）（ｖ）の操作を２回繰り返した。
（ｖｉｉ）そして、海老様形態の芯材用菓子に即席衣様被覆食品が被覆された海老フライ様被覆食品を調製した。
【手続補正５】
【補正対象書類名】明細書
【補正対象項目名】００７８
【補正方法】変更
【補正の内容】
【００７８】
【表４】
2018019673.tif 000002
【手続補正６】
【補正対象書類名】明細書
【補正対象項目名】００８０
【補正方法】変更
【補正の内容】
【００８０】
＜組合せ菓子キットの調製＞
＜実施例１１＞
以下（１）〜（７）を準備した。
（１）実施例７組成の即席衣様被覆食品用粉末（表１）３．５ｇ
（２）表２組成の芯材用菓子用粉末
（３）図１のトレイ６０（Ｃ）
（４）表５〜８組成の即席調理菓子用粉末
（５）粒状菓子２０粒
（６）表９組成のソース用粉末
（７）スプーン
上記のうち（２）（４）（６）を、表１０の重量となるように、各々ポリエチレン袋に別包装した。
次いで、上記（１）〜（７）を、図３のような盛り付け用シート７が印刷された外袋に収容密封して、組合せ菓子キットを調製した。
なお、上記（４）の即席調理菓子用粉末の内訳は、オムレツ様のゼリー菓子のもととなるゼリー用粉末（表５）、フライドポテト様菓子のもととなる粉末（表６）、ミートボール様の餅状菓子のもととなる粉末（表７）、チキンライス様の米飯状菓子のもととなる粉末（表８）とした。
【手続補正７】
【補正対象書類名】明細書
【補正対象項目名】００８９
【補正方法】変更
【補正の内容】
【００８９】
１            海老フライ様被覆食品
１（Ｂ）      芯材用菓子
２            オムレツ様のゼリー菓子
２ａ          ゼリー化した生地
３            フライドポテト様菓子
３ａ          フライドポテト様菓子用の生地
４            ミートボール様の餅状菓子
４ａ          ミートボール様の餅状菓子用の生地
５            チキンライス様の米飯状菓子
６            粒状菓子
７            盛り付け用シート
８            スプーン
９            はさみ
１０          芯材用菓子用粉末
１１          即席衣様被覆食品用粉末
２０          オムレツ様のゼリー菓子のもととなるゼリー用粉末
３０          ソース
４０          チキンライス様の米飯状菓子のもととなる粉末
５０          お子様ランチ様の即席調理菓子セット
６０（Ｃ）    調製用トレイ
６１          水性媒体用計量凹部
６２          芯材用菓子成型部
６３          ポテト成形部
６３（Ｘ）    即席衣様被覆食品用粉末収容部
６４          生地混合部
６５          オムレツ成形部
６５（Ｙ）    水性媒体収容部
６６          チキンライス調製部
１００        フライドポテト様菓子のもととなる粉末
３００        ミートボール様の餅状菓子のもととなる粉末
【手続補正書】
【提出日】令和1年5月14日(2019.5.14)
【手続補正１】
【補正対象書類名】特許請求の範囲
【補正対象項目名】全文
【補正方法】変更
【補正の内容】
【特許請求の範囲】
【請求項１】
第１部材と、
前記第１部材に対して回動可能に設けられた第２部材と、
前記第１部材及び前記第２部材の一方から他方へ駆動力を伝達するモーターと、
を有し、
前記モーターは、
ボビンと前記ボビンに巻かれた巻線とを有する固定子と、
前記固定子に回転可能に装着された回転子と、
を有し、
前記モーターは、
電源電圧が４８〜６０Ｖの範囲内であり、
前記巻線の線径が０．４５〜０．７５ｍｍの範囲内であることを特徴とするロボット。
【請求項２】
前記モーターの出力が５０〜６００Ｗの範囲内であることを特徴とする請求項１に記載のロボット。
【請求項３】
前記モーターの出力が５０〜３００Ｗの範囲内である場合、前記巻線の線径が０．４５〜０．５５ｍｍの範囲内であることを特徴とする請求項２に記載のロボット。
【請求項４】
前記モーターの出力が１００〜６００Ｗの範囲内である場合、前記巻線の線径が０．６５〜０．７５ｍｍの範囲内であることを特徴とする請求項２に記載のロボット。
【請求項５】
前記第１部材の長さと前記第２部材の長さとの和が４００ｍｍ以下であることを特徴とする請求項１〜４のいずれか一項に記載のロボット。
【請求項６】
前記ロボットは、スカラロボットであることを特徴とする請求項１〜５のいずれか一項に記載のロボット。
【請求項７】
前記ロボットは、多軸ロボットであることを特徴とする請求項１〜５のいずれか一項に記載のロボット。
【請求項８】
ボビンと前記ボビンに巻かれた巻線とを備える固定子と、前記固定子に回転可能に装着された回転子とを有するモーターであって、
前記モーターは、
電源電圧が４８〜６０Ｖの範囲内であり、
前記巻線の線径が０．４５〜０．７５ｍｍの範囲内であることを特徴とするモーター。
【手続補正書】
【提出日】平成31年3月18日(2019.3.18)
【手続補正１】
【補正対象書類名】特許請求の範囲
【補正対象項目名】全文
【補正方法】変更
【補正の内容】
【特許請求の範囲】
【請求項１】
列車を所定の目標停止位置に停止させる列車定位置停止制御装置であって、
列車の速度及び現在位置を算出する速度・位置算出手段と、
予め設置された対象物と前記列車との相対距離を算出する相対距離算出手段と、
前記速度・位置算出手段が算出した前記列車の速度及び現在位置の情報を受け取る制御指令算出手段と
を備え、
前記速度・位置算出手段は、演算周期毎に、前記相対距離算出手段から入力した前記相対距離の情報及び前記対象物の位置情報から前記列車の現在位置を算出する
ことを特徴とする列車定位置停止制御装置。
【請求項２】
請求項１に記載の列車定位置停止制御装置であって、
前記速度・位置算出手段は、前記対象物の位置情報を対象物位置データベースから取得する
ことを特徴とする列車定位置停止制御装置。
【請求項３】
請求項１または２に記載の列車定位置停止制御装置であって、
前記相対距離算出手段は、前記相対距離を、前記対象物に対する、撮像装置による画像認識、電波照射またはレーザー照射のいずれか１つを用いて算出する
ことを特徴とする列車定位置停止制御装置。
【請求項４】
請求項１〜３のいずれか１項に記載の列車定位置停止制御装置であって、
前記速度・位置算出手段は、演算周期毎に、前記相対距離算出手段から入力した前記相対距離の情報と、自ら算出した前記列車の速度に基づいて求めた前記列車の現在位置と前記対象物の位置情報とから算出した比較用の相対距離の情報とを比較し、両者の差分が所定の閾値以内である場合に、前記相対距離算出手段から入力した前記相対距離の情報及び前記対象物の位置情報から前記列車の現在位置を算出する
ことを特徴とする列車定位置停止制御装置。
【請求項５】
請求項２または請求項２を引用する請求項３あるいは４のいずれか１項に記載の列車定位置停止制御装置であって、
前記相対距離算出手段は、前記対象物の形状または色彩あるいは前記対象物に描画された表示形態を画像認識して前記対象物を一意に判別し、判別した当該対象物の情報から前記対象物位置データベースを検索する
ことを特徴とする列車定位置停止制御装置。
【請求項６】
請求項１または請求項１を引用する請求項３あるいは４のいずれか１項に記載の列車定位置停止制御装置であって、
前記相対距離算出手段は、前記対象物に描画された表示形態を画像認識して前記対象物の位置情報を一意に判別する
ことを特徴とする列車定位置停止制御装置。
【請求項７】
請求項１〜６のいずれか１項に記載の列車定位置停止制御装置であって、
前記速度・位置算出手段は、前記相対距離算出手段からの入力が連続していない場合または断続的である場合に、前記列車の現在位置を前記列車の速度に基づいて算出することに切り替える
ことを特徴とする列車定位置停止制御装置。
【請求項８】
請求項１〜７のいずれか１項に記載の列車定位置停止制御装置であって、
前記制御指令算出手段は、前記相対距離算出手段からの入力が連続していない場合または断続的である場合に、前記列車を目標の停止位置よりも手前に停止させるための制動指令を算出する
ことを特徴とする列車定位置停止制御装置。
【請求項９】
請求項１〜８のいずれか１項に記載の列車定位置停止制御装置であって、
前記制御指令算出手段は、前記列車の現在位置から算出した目標速度と前記列車の速度を比較する
ことを特徴とする列車定位置停止制御装置。
【請求項１０】
請求項９に記載の列車定位置停止制御装置であって、
前記制御指令算出手段は、前記目標速度と前記列車の速度との速度偏差から制動指令を算出する
ことを特徴とする列車定位置停止制御装置。
【請求項１１】
請求項１〜１０のいずれか１項に記載の列車定位置停止制御装置であって、
前記相対距離算出手段は、線路外または駅構内に設けられた前記対象物と前記列車との相対距離を算出する
ことを特徴とする列車定位置停止制御装置。
【請求項１２】
請求項１〜１１のいずれか１項に記載の列車定位置停止制御装置を搭載した鉄道車両。
【手続補正２】
【補正対象書類名】明細書
【補正対象項目名】発明の名称
【補正方法】変更
【補正の内容】
【発明の名称】列車定位置停止制御装置およびそれを搭載した鉄道車両
【手続補正３】
【補正対象書類名】明細書
【補正対象項目名】０００１
【補正方法】変更
【補正の内容】
【０００１】
本発明は、地上に設置された対象物との相対距離から列車の現在位置を算出し、列車の走行を制御する列車定位置停止制御装置およびそれを搭載した鉄道車両に関する。
【手続補正書】
【提出日】令和1年7月24日(2019.7.24)
【手続補正１】
【補正対象書類名】特許請求の範囲
【補正対象項目名】全文
【補正方法】変更
【補正の内容】
【特許請求の範囲】
【請求項１】
複数の光電変換部を有する単位画素が行列状に配置された撮像素子と、
前記単位画素の複数の光電変換部から、一部の光電変換部の信号を読み出す第１の読み出し動作と、前記単位画素の複数の光電変換部から、第１の読み出し動作より多数の光電変換部の信号を読み出す第２の読み出し動作とを行う読み出し手段と、
前記読み出し手段を駆動するスイッチング電源と、
前記スイッチング電源のスイッチング周波数を制御する周波数制御手段と、を備え、
前記周波数制御手段は、前記読み出し手段により前記複数の光電変換部からノイズ信号を読み出すタイミングと、前記複数の光電変換部から前記第１の読み出し動作により信号を読み出すタイミングと、前記複数の光電変換部から前記第２の読み出し動作により信号を読み出すタイミングとに対して、前記スイッチング周波数の位相が所定の関係になるように前記スイッチング電源のスイッチング周波数を制御することを特徴とする撮像装置。
【請求項２】
前記周波数制御手段は、前記ノイズ信号を読み出すタイミングから前記第１の読み出し動作により信号を読み出すタイミングまでの期間である第１の期間に対しては、前記スイッチング周波数を第１の周波数に設定し、前記第１の読み出し動作により信号を読み出すタイミングから前記第２の読み出し動作により信号を読み出すタイミングまでの期間である第２の期間に対しては、前記スイッチング周波数を第２の周波数に設定することを特徴とする請求項１に記載の撮像装置。
【請求項３】
前記第１の周波数と前記第２の周波数は異なることを特徴とする請求項２に記載の撮像装置。
【請求項４】
前記周波数制御手段は、前記第１の周波数を、前記第１の期間の逆数の逓倍となる値に設定し、前記第２の周波数を、前記第２の期間の逆数の逓倍となる値に設定することを特徴とする請求項２または３に記載の撮像装置。
【請求項５】
前記読み出し手段は、前記第１の読み出し動作により、前記複数の光電変換部のうちの少なくとも１つの光電変換部の信号を読み出し、前記第２の読み出し動作により、前記複数の光電変換部のうちの全ての光電変換部の信号を読み出すことを特徴とする請求項２乃至４のいずれか１項に記載の撮像装置。
【請求項６】
前記読み出し手段は、前記第１の読み出し動作により、前記複数の光電変換部のうちの少なくとも１つの光電変換部の信号を読み出し、前記第２の読み出し動作により、前記複数の光電変換部のうちの、前記第１の読み出し動作により信号を読み出した光電変換部以外の光電変換部の信号を読み出すことを特徴とする請求項２乃至４のいずれか１項に記載の撮像装置。
【請求項７】
前記周波数制御手段は、前記撮像素子からの画像信号の読み出し周期に基づいて、前記スイッチング周波数を設定することを特徴とする請求項２乃至６のいずれか１項に記載の撮像装置。
【請求項８】
前記周波数制御手段は、前記スイッチング電源のスイッチングタイミングを検出する検出手段と、前記検出手段により検出された情報に基づいて、前記ノイズ信号を読み出すタイミングと、前記第１の読み出し動作により信号を読み出すタイミングと、前記第２の読み出し動作により信号を読み出すタイミングにおいて、スイッチングが行われないように、前記スイッチング電源のスイッチングタイミングを補正する補正手段と、を有することを特徴とする請求項２乃至７のいずれか１項に記載の撮像装置。
【請求項９】
前記補正手段は、前記第１の周波数と前記第２の周波数のうち、前記スイッチング電源を駆動させていない周波数のスイッチングパルスの位相を補正することを特徴とする請求項８に記載の撮像装置。
【請求項１０】
複数の撮影モードを設定する設定手段をさらに備え、前記周波数制御手段は、前記設定手段により設定された撮影モードに応じて、前記スイッチング周波数を制御することを特徴とする請求項１乃至９のいずれか１項に記載の撮像装置。
【請求項１１】
前記周波数制御手段は、前記ノイズ信号を読み出すタイミングから前記第１の読み出し動作により信号を読み出すタイミングまでの期間である第１の期間の逆数と、前記第１の読み出し動作により信号を読み出すタイミングから前記第２の読み出し動作により信号を読み出すタイミングまでの期間である第２の期間の逆数の最小公倍数の逓倍となるように、前記スイッチング周波数を設定することを特徴とする請求項１に記載の撮像装置。
【請求項１２】
複数の光電変換部を有する単位画素が行列状に配置された撮像素子と、前記単位画素の複数の光電変換部から、一部の光電変換部の信号を読み出す第１の読み出し動作と、前記単位画素の複数の光電変換部から、第１の読み出し動作より多数の光電変換部の信号を読み出す第２の読み出し動作とを行う読み出し手段と、前記読み出し手段を駆動するスイッチング電源と、を有する撮像装置を制御する方法であって、
前記スイッチング電源のスイッチング周波数を制御する周波数制御工程を有し、
前記周波数制御工程では、前記読み出し手段により前記複数の光電変換部からノイズ信号を読み出すタイミングと、前記複数の光電変換部から前記第１の読み出し動作により信号を読み出すタイミングと、前記複数の光電変換部から前記第２の読み出し動作により信号を読み出すタイミングとに対して、前記スイッチング周波数の位相が所定の関係になるように前記スイッチング電源のスイッチング周波数を制御することを特徴とする撮像装置の制御方法。
【請求項１３】
請求項１２に記載の制御方法の各工程をコンピュータに実行させるためのプログラム。
【請求項１４】
請求項１２に記載の制御方法の各工程をコンピュータに実行させるためのプログラムを記憶したコンピュータが読み取り可能な記憶媒体。
【誤訳訂正書】
【提出日】平成31年2月8日(2019.2.8)
【誤訳訂正１】
【訂正対象書類名】明細書
【訂正対象項目名】００３９
【訂正方法】変更
【訂正の内容】
【００３９】
ステップ１３３０において、ＵＥは、ＵＥが使用することが可能であったＳＡに関連する現有の、または、残りのリソースの数量に基づいて、スケジューリング要求を送信するか、または、データに関連するＢＳＲをトリガーするかどうかを決定する。好ましくは、ＵＥは、データに関連するＢＳＲをトリガーしない。あるいは、好ましくは、ＵＥは、データに関連するＢＳＲをトリガーする。しかし、ＵＥは、基地局(ＢＳ)に、トリガーされたＢＳＲに関連するスケジューリング要求（ＳＲ）を送信しない。任意の状況において、残りのリソースは、残りのすべてのバッファされたデータを運ぶのに十分なので、最終のＵＥ動作はＳＲを送信しない。トリガーされたＢＳＲはＳＲをトリガーしてもよいので、その後、トリガーされたＢＳＲを送信するためのＵＬグラントを要求するために、トリガーされたＳＲを送信することはないということが予測される。一般的には、高優先データ到達、または、空状態から非空状態、または、ある別の特定の状況から利用可能なデータのために、ＢＳＲがトリガーされるとき、ＵＥは、ＢＳＲによりトリガーされたＳＲを送信して、ＵＬグラントを要求する必要があり、且つ、ＵＥは、ＵＬグラントを用いて、ＢＳＲを送信する。しかし、この特殊な状況では、何も発生しない。
【誤訳訂正２】
【訂正対象書類名】明細書
【訂正対象項目名】００４６
【訂正方法】変更
【訂正の内容】
【００４６】
ステップ１４４０において、ＵＥは、ＵＥが使用することが可能であったＳＡに関連する残りのリソースの数量に基づいて、第二スケジューリング要求を送信するか、または、データに関連するＢＳＲをトリガーするかを判断する。好ましくは、ＵＥは、データに関連するＢＳＲをトリガーしない。あるいは、好ましくは、ＵＥは、データに関連するＢＳＲをトリガーする。しかし、ＳＡに関連する残りのリソースの数量はデータを収容できて、ＢＳＲ解除を生じるので、ＵＥは、基地局に、トリガーされたＢＳＲに関連する第二ＳＲを送信しない。任意の状況において、残りのリソースは、残りのすべてのバッファされたデータを運ぶのに十分なので、最終のＵＥ動作はＳＲを送信しない。トリガーされたＢＳＲはＳＲをトリガーしてもよいので、トリガーされたＢＳＲを送信するためのＵＬグラントを要求するために、トリガーされたＳＲを送信することはないということが予測される。一般的には、高優先データ到達、または、空状態から非空状態、または、ある別の特定の状況から利用可能なデータのために、ＢＳＲがトリガーされるとき、ＵＥは、ＢＳＲによりトリガーされたＳＲを送信して、ＵＬグラントを要求する必要があり、且つ、ＵＥは、ＵＬグラントを用いて、ＢＳＲを送信する。しかし、この特殊な状況では、何も発生しない。
【誤訳訂正３】
【訂正対象書類名】明細書
【訂正対象項目名】００５２
【訂正方法】変更
【訂正の内容】
【００５２】
ステップ１５３０において、ＵＥは、データに関連するＢＳＲをトリガーする。ステップ１５３５において、ＳＡに関連する残りのリソースの数量はデータを収容できるので、ＵＥはＢＳＲをキャンセルする。ステップ１５４０において、ＵＥは、第三タイミングで、残りのリソースによりデータを送信し、ここで、第三タイミングは第二タイミングより遅い。任意の状況において、残りのリソースは、残りのすべてのバッファされたデータを運ぶのに十分なので、最終のＵＥ動作はＳＲを送信しない。トリガーされたＢＳＲはＳＲをトリガーするので、たった今トリガーされたＢＳＲを取り消すことが予測される。その後、もちろん、どのＳＲもトリガーしない。ステップ１５３０と１５３５を参照すると、ＢＳＲがトリガーされ、その後、取り消され、ＵＥは、実際には、(たとえば、ここで、意図的に何もしないといったように)いずれかのBSRを送信するためのULグラントを要求するいかなるＳＲも送信しないであろうということが記述されている。一般的には、高優先データ到達、または、空状態から非空状態、または、ある別の特定の状況から利用可能なデータのために、ＢＳＲがトリガーされるとき、ＵＥは、ＢＳＲによりトリガーされたＳＲを送信して、ＵＬグラントを要求する必要があり、且つ、ＵＥは、ＵＬグラントを用いて、ＢＳＲを送信する。しかし、この特殊な状況では、何も発生しない。
【誤訳訂正４】
【訂正対象書類名】明細書
【訂正対象項目名】００５３
【訂正方法】変更
【訂正の内容】
【００５３】
好ましくは、ＵＥは、ＵＥが使用することが可能であったＳＡに関連する現有の、または、残りのリソースの数量に基づいて、第二スケジューリング要求を送信するか、または、データに関連するＢＳＲをトリガーするかどうかを決定する。あるいは、または、追加として、好ましくは、ＵＥは、データに関連するＢＳＲをトリガーしない。別の方法として、あるいは、または、追加として、好ましくは、ＵＥは、データに関連するＢＳＲをトリガーする。しかし、ＳＡに関連する残りのリソースの数量はデータを収容でき、ＢＳＲ解除を生じるので、ＵＥは、基地局に、トリガーされたＢＳＲに関連する第二ＳＲを送信しない。残りのリソースは、残りのすべてのバッファされたデータを運ぶのに十分なので、任意の状況において、最終のＵＥ動作はＳＲを送信しない。トリガーされたＢＳＲはＳＲをトリガーしてもよいので、トリガーされたＢＳＲを送信するためのＵＬグラントを要求するために、トリガーされたＳＲを送信することはないということが予測される。一般的には、高優先データ到達、または、空状態から非空状態、または、ある別の特定の状況から利用可能なデータのために、ＢＳＲがトリガーされるとき、ＵＥは、ＢＳＲによりトリガーされたＳＲを送信して、ＵＬグラントを要求する必要があり、且つ、ＵＥは、ＵＬグラントを用いて、ＢＳＲを送信する。しかし、この特殊な状況では、何も発生しない。
【手続補正書】
【提出日】令和1年8月20日(2019.8.20)
【手続補正１】
【補正対象書類名】特許請求の範囲
【補正対象項目名】全文
【補正方法】変更
【補正の内容】
【特許請求の範囲】
【請求項１】
筒状のヨーク（１０）と、
前記ヨークに固定される磁石により構成されるステータ（３０）と、
前記ステータに対し回転可能に設けられ、コイル（４２）が巻かれたロータ（４０）と、
前記ロータに固定されるシャフト（５０）と、
前記コイルに電気的に接続され、前記シャフトと共に回転する整流子（６０）と、
前記整流子に摺接し、前記整流子を介して前記コイルに電流を供給するブラシ（７０）と、
前記ロータ側から前記整流子側に向かい内径が次第に小さくなるテーパ状に形成されて径方向外側の外縁が前記ヨークに接触または隣接する漏斗部（８１）、前記漏斗部の内側から前記ブラシに向けて風を吹き出す吹出口（８２）、および、前記漏斗部から前記ブラシに向けて延び、前記漏斗部の内側から前記吹出口に風を案内する案内部（８３）を有する冷却風ガイド（８０）と、を備える電動モータ。
【請求項２】
前記冷却風ガイドは、前記漏斗部の内周縁から軸方向に延び、前記整流子の径方向外側を囲うコンミカバー（８４）をさらに有する、請求項１に記載の電動モータ。
【請求項３】
前記吹出口は、前記ブラシの形状に対応するように、前記漏斗部の内周縁から径方向外側の途中まで設けられる、請求項１または２に記載の電動モータ。
【請求項４】
前記ヨークの径方向の一方の部位と他方の部位とを接続し、前記シャフトを回転可能に支持するフロントプレート（２０）をさらに備える、請求項１ないし３のいずれか１つに記載の電動モータ。
【手続補正２】
【補正対象書類名】明細書
【補正対象項目名】０００８
【補正方法】変更
【補正の内容】
【０００８】
上記目的を達成するため、請求項１に係る発明は、
筒状のヨーク（１０）と、
ヨークに固定される磁石により構成されるステータ（３０）と、
ステータに対し回転可能に設けられ、コイル（４２）が巻かれたロータ（４０）と、
ロータに固定されるシャフト（５０）と、
コイルに電気的に接続され、シャフトと共に回転する整流子（６０）と、
整流子に摺接し、整流子を介してコイルに電流を供給するブラシ（７０）と、
ロータ側から整流子側に向かい内径が次第に小さくなるテーパ状に形成されて径方向外側の外縁がヨークに接触または隣接する漏斗部（８１）、漏斗部の内側からブラシに向けて風を吹き出す吹出口（８２）、および、漏斗部からブラシに向けて延び、漏斗部の内側から吹出口に風を案内する案内部（８３）を有する冷却風ガイド（８０）と、を備える。
【手続補正書】
【提出日】平成31年4月5日(2019.4.5)
【手続補正１】
【補正対象書類名】特許請求の範囲
【補正対象項目名】全文
【補正方法】変更
【補正の内容】
【特許請求の範囲】
【請求項１】
オーディオ・データおよび該オーディオ・データに関連付けられたメタデータを受領する段階と；
前記ビットストリーム中の前記メタデータを解析してオーディオ装置の第一の群のためのダイナミックレンジ制御パラメータに関連するダイナミックレンジ制御情報が前記ストリームにおいて存在するかどうかを判定する段階と；
前記第一の群のために前記ダイナミックレンジ制御情報が存在すると判定するのに応答して、前記ストリームからダイナミックレンジ制御情報を決定し、前記オーディオ・データおよびダイナミックレンジ制御情報を、オーディオをレンダリングすることにおいて使うために伝送する段階と；
前記第一の群のために前記ダイナミックレンジ制御情報が存在しないと判定するのに応答して、少なくとも出力装置のためのダイナミックレンジ制御情報を定義する出力プロファイルに関連付けられたダイナミックレンジ制御情報を決定し、前記出力プロファイルについての決定されたダイナミックレンジ制御情報を、オーディオをレンダリングすることにおいて使うために伝送する段階とを含む、
方法。
【請求項２】
ダイナミックレンジ制御情報を決定する前記段階が、前記ダイナミックレンジ制御パラメータを決定することを含み、決定されたダイナミックレンジ制御情報を伝送することが、決定されたダイナミックレンジ制御パラメータを伝送することを含む、請求項１記載の方法。
【請求項３】
前記パラメータおよびオーディオ・データを使ってオーディオをレンダリングすることが、前記パラメータおよびオーディオ・データを、前記オーディオを再生のためにレンダリングする下流のモジュールに伝送することを含む、請求項１記載の方法。
【請求項４】
前記パラメータおよびオーディオ・データを使ってオーディオをレンダリングすることが、前記パラメータおよびオーディオ・データに基づいて前記オーディオ・データをレンダリングすることを含む、請求項１記載の方法。
【手続補正書】
【提出日】平成31年4月10日(2019.4.10)
【手続補正１】
【補正対象書類名】特許請求の範囲
【補正対象項目名】全文
【補正方法】変更
【補正の内容】
【特許請求の範囲】
【請求項１】
SEQ ID NO:46のアミノ酸配列を有する重鎖可変領域およびSEQ ID NO:52のアミノ酸配列を有する軽鎖可変領域を含む、ヘプシジン（Hep）またはヘプシジンペプチドに特異的に結合する抗体またはその抗原結合断片。
【請求項２】
IgG1またはIgG4重鎖可変領域;およびIgG1またはIgG4軽鎖可変領域を含む、請求項1記載の抗体またはその抗原結合断片。
【請求項３】
SEQ ID NO:19のヘプシジンのアミノ酸残基1〜9を含むエピトープに特異的に結合する、請求項1または2記載の抗体またはその抗原結合断片。
【請求項４】
モノクローナル抗体、キメラ抗体、ヒト抗体、二価抗体、多重特異性抗体、マキシボディ、ナノボディ、またはヒト化抗体を含む、請求項1〜3のいずれか一項記載の抗体。
【請求項５】
Fab断片、Fab'断片、F(ab')2断片、Fv断片、scFv断片、または単鎖結合ポリペプチドを含む、請求項1または3記載の抗原結合断片。
【請求項６】
ヘプシジン20ペプチド、ヘプシジン22ペプチド、およびヘプシジン25ペプチド上にあるエピトープに特異的に結合する、請求項1〜5のいずれか一項記載の抗体またはその抗原結合断片。
【請求項７】
請求項1〜6のいずれか一項記載の抗体または抗原結合断片と、許容される担体または賦形剤とを含む、薬学的組成物。
【請求項８】
鉄ホメオスタシスの障害、ヘモクロマトーシス、ヘプシジン過剰を有する対象、貧血、炎症性疾患、もしくは感染を処置もしくは診断する、またはヘプシジン活性を調整するための請求項7記載の薬学的組成物。
【請求項９】
エリスロポエチン、低酸素誘導因子(HIF)プロリルヒドロキシラーゼ阻害剤、ダルベポエチン、エポエチンα、エポエチンβ、エポエチンδ、エポエチンω、エポエチンι、エポエチンζ、およびエリスロポエチンに結合する抗体からなる群より選択される赤血球形成刺激物質と組み合わせて使用される、請求項7または8記載の薬学的組成物。
【請求項１０】
感染を処置するための請求項８記載の薬学的組成物であって、感染が細菌感染、真菌感染、またはウイルス感染である、薬学的組成物。
【請求項１１】
注射用に製剤化される、請求項7または8記載の薬学的組成物。
【請求項１２】
注射が静脈内注射、皮下注射、筋肉内注射、または脳脊髄液への脊髄注射を含む、請求項11記載の薬学的組成物。
【請求項１３】
貧血が鉄剤不応性鉄欠乏性貧血(IRIDA)を含む、請求項８記載の薬学的組成物。
【請求項１４】
貧血が、炎症性貧血、化学療法誘導性貧血(CCIA)、低色素性小球性貧血、癌の貧血、先天性赤血球異形成貧血、鉄芽球性貧血、または慢性疾患の貧血(ACD)を含む、請求項８記載の薬学的組成物。
【請求項１５】
請求項1〜6のいずれか一項記載の抗体またはその抗原結合断片を含む、ヘプシジン過剰に関連する障害または鉄ホメオスタシスの障害を処置または診断するためのキット。
【請求項１６】
エリスロポエチン、低酸素誘導因子(HIF)プロリルヒドロキシラーゼ阻害剤、ダルベポエチン、エポエチンα、エポエチンβ、エポエチンδ、エポエチンω、エポエチンι、エポエチンζ、およびエリスロフェロンからなる群より選択される赤血球形成刺激物質をさらに含む、ヘプシジン過剰に関連する障害または鉄ホメオスタシスの障害を処置するための請求項15記載のキットであって、処置される対象におけるヘプシジンレベルが生理学的に正常な範囲にあるが、血漿中鉄レベルまたはパーセントトランスフェリン飽和度（％TSAT）と比べて高い、キット。
【請求項１７】
請求項1〜6のいずれか一項記載の抗体またはその抗原結合断片、ならびに抗体またはその抗原結合断片とエリスロポエチン、低酸素誘導因子(HIF)プロリルヒドロキシラーゼ阻害剤、ダルベポエチン、エポエチンα、エポエチンβ、エポエチンδ、エポエチンω、エポエチンι、エポエチンζ、およびエリスロフェロンからなる群より選択される赤血球形成刺激物質との使用について説明する、容器に取り付けられたかまたは容器に同梱されたラベルを含む、ヘプシジン過剰に関連する障害または鉄ホメオスタシスの障害を処置または診断するためのキット。
【請求項１８】
請求項1〜6のいずれか一項記載の抗体またはその抗原結合断片、エリスロポエチン、低酸素誘導因子(HIF)プロリルヒドロキシラーゼ阻害剤、ダルベポエチン、エポエチンα、エポエチンβ、エポエチンδ、エポエチンω、エポエチンι、エポエチンζ、およびエリスロフェロンからなる群より選択される赤血球形成刺激物質、ならびに該赤血球形成刺激物質と抗体またはその抗原結合断片との使用について説明する、容器に取り付けられたかまたは容器に同梱されたラベルを含む、ヘプシジン過剰に関連する障害を処置または診断するためのキット。
【手続補正書】
【提出日】平成31年1月23日(2019.1.23)
【手続補正１】
【補正対象書類名】特許請求の範囲
【補正対象項目名】全文
【補正方法】変更
【補正の内容】
【特許請求の範囲】
【請求項１】
判定の結果に基づいて図柄変動を行う図柄変動手段と、
前記図柄変動にて所定の態様が現れると、遊技者に特典を付与しうる特典付与手段と、
演出動作しうる可動装飾体と、
前記図柄変動に対応する復元時期が到来したことを契機として正常状態にない可動装飾体に復元動作を行わせうる復元実行手段と
を備え、
前記可動装飾体として、第１可動装飾体及び第２可動装飾体を含む複数の可動装飾体が用意されており、
前記第１可動装飾体が復元動作を実行しており且つ前記第２可動装飾体が正常状態であるときに前記図柄変動に対応する復元時期が新たに到来した場合、前記復元動作を実行している状態にある前記第１可動装飾体については、該新たに到来した復元時期を契機として該復元動作のやり直しを行うことなくこれを継続して実行可能であり、
前記図柄変動に対応する復元時期が新たに到来した時点において正常状態であった前記第２可動装飾体が、前記第１可動装飾体が復元動作を継続して実行しているなかで正常状態でなくなった場合、該第２可動装飾体は、当該第２可動装飾体が正常状態ではなくなってから前記図柄変動に対応する復元時期が一度も到来していない状況であったとしても、前記第１可動装飾体の復元動作が終了したことに基づいて復元動作を開始可能であり、
さらに、
前記復元実行手段は、
前記図柄変動に対応する復元時期が到来したことを契機として正常状態にない可動装飾体に復元動作を行わせた結果、該可動装飾体を正常状態に復帰させることに失敗した場合、該可動装飾体については、前記図柄変動に対応する復元時期が再び到来したとしてもこれを契機として復元動作を再び行わせることはなく、
さらに、
前記第１可動装飾体は、発光可能に設けられるものであり、
さらに、
前記図柄変動に対応する復元時期が到来したことを契機として正常状態にない前記第１可動装飾体が復元動作を行った結果、正常状態に復帰することに失敗した場合であっても、正常状態に復帰することに失敗した状態にある当該第１可動装飾体を演出発光させることは可能であり、
さらに、
前記第１可動装飾体が復元動作を実行しているときに特定の演出制限が生じる特定異常状態が発生した場合、該第１可動装飾体は、該特定の演出制限が生じているなかで前記復元動作を継続実行するものであり、該復元動作を継続実行している状態にあり且つ前記特定異常状態において前記図柄変動に対応する復元時期が新たに到来したとしても、該新たに到来した復元時期を跨ぐかたちで前記復元動作を継続実行するものである
ことを特徴とする遊技機。
【手続補正２】
【補正対象書類名】明細書
【補正対象項目名】０００５
【補正方法】変更
【補正の内容】
【０００５】
このような従来の遊技機では、遊技興趣の低下が懸念される。
【手続補正３】
【補正対象書類名】明細書
【補正対象項目名】０００７
【補正方法】変更
【補正の内容】
【０００７】
手段１：判定の結果に基づいて図柄変動を行う図柄変動手段と、
前記図柄変動にて所定の態様が現れると、遊技者に特典を付与しうる特典付与手段と、
演出動作しうる可動装飾体と、
前記図柄変動に対応する復元時期が到来したことを契機として正常状態にない可動装飾体に復元動作を行わせうる復元実行手段と
を備え、
前記可動装飾体として、第１可動装飾体及び第２可動装飾体を含む複数の可動装飾体が用意されており、
前記第１可動装飾体が復元動作を実行しており且つ前記第２可動装飾体が正常状態であるときに前記図柄変動に対応する復元時期が新たに到来した場合、前記復元動作を実行している状態にある前記第１可動装飾体については、該新たに到来した復元時期を契機として該復元動作のやり直しを行うことなくこれを継続して実行可能であり、
前記図柄変動に対応する復元時期が新たに到来した時点において正常状態であった前記第２可動装飾体が、前記第１可動装飾体が復元動作を継続して実行しているなかで正常状態でなくなった場合、該第２可動装飾体は、当該第２可動装飾体が正常状態ではなくなってから前記図柄変動に対応する復元時期が一度も到来していない状況であったとしても、前記第１可動装飾体の復元動作が終了したことに基づいて復元動作を開始可能であり、
さらに、
前記復元実行手段は、
前記図柄変動に対応する復元時期が到来したことを契機として正常状態にない可動装飾体に復元動作を行わせた結果、該可動装飾体を正常状態に復帰させることに失敗した場合、該可動装飾体については、前記図柄変動に対応する復元時期が再び到来したとしてもこれを契機として復元動作を再び行わせることはなく、
さらに、
前記第１可動装飾体は、発光可能に設けられるものであり、
さらに、
前記図柄変動に対応する復元時期が到来したことを契機として正常状態にない前記第１可動装飾体が復元動作を行った結果、正常状態に復帰することに失敗した場合であっても、正常状態に復帰することに失敗した状態にある当該第１可動装飾体を演出発光させることは可能であり、
さらに、
前記第１可動装飾体が復元動作を実行しているときに特定の演出制限が生じる特定異常状態が発生した場合、該第１可動装飾体は、該特定の演出制限が生じているなかで前記復元動作を継続実行するものであり、該復元動作を継続実行している状態にあり且つ前記特定異常状態において前記図柄変動に対応する復元時期が新たに到来したとしても、該新たに到来した復元時期を跨ぐかたちで前記復元動作を継続実行するものである
ことを特徴とする遊技機。
【手続補正４】
【補正対象書類名】明細書
【補正対象項目名】０００８
【補正方法】削除
【補正の内容】